(57)【特許請求の範囲】
【請求項１】
移動通信システムに接続された移動機からプリペイドカードの番号を通知することによりそのプリペイドカードの料金に応じた通信量を当該移動機が使用可能な通信量として管理装置に累積させ、有効でないプリペイドカードの番号の通知の態様が所定の条件を満足するときに、上記通信量の累積のための処理に代えて所定の処理を行うようにしたプリペイドカードによる通信量チャージ制御方法において、
移動機からの不正とみなされるチャージアクセスが行われた累積回数に基づいて、当該移動機に対して、プリペイドカード番号の入力試行回数がより少ない状態で不正チャージアクセスとみなされるように変更するようにしたプリペイドカードによる通信量チャージ制御方法。
【請求項２】
請求項１記載のプリペイドカードによる通信量チャージ制御方法において、
不正とみなされるチャージアクセスが行われた回数に基づいて、チャージ規制が行われ、チャージ規制がなされた回数に基づいて、不正とみなされるチャージアクセスの回数がより少ない状態でチャージ規制がなされるように変更されるようにしたプリペイドカードによる通信量チャージ制御方法。
【請求項３】
請求項２記載のプリペイドカードによる通信量チャージ制御方法において、
不正とみなされるチャージアクセスが行われた累積回数およびチャージ規制がなされた回数に基づいて定められるランクに応じた内容のガイダンスを送信するようにしたプリペイドカードによる通信量チャージ制御方法。
【請求項４】
請求項１ないし３のいずれか１項に記載のプリペイドカードによる通信量チャージ制御方法において、
当該移動機の移動通信システムへの接続を切断するための各処理を含むようにしたプリペイドカードによる通信量チャージ制御方法。
【請求項５】
請求項１ないし４のいずれか１項に記載のプリペイドカードによる通信量チャージ制御方法において、
当該移動機からのプリペイドカードの料金に応じた通信量を管理装置に累積させるための要求を規制するための処理を含むようにしたプリペイドカードによる通信量チャージ制御方法。
【請求項６】
移動通信システムに接続された移動機からプリペイドカードの番号を通知することによりそのプリペイドカードの料金に応じた通信量を当該移動機が使用可能な通信量として管理装置に累積させ、有効でないプリペイドカードの番号の通知の態様が所定の条件を満足するときに、上記通信量の累積のための処理に代えて所定の処理を行うようにしたプリペイドカードによる通信量チャージ制御装置において、
移動機からの不正とみなされるチャージアクセスが行われた累積回数に基づいて、当該移動機に対して、プリペイドカード番号の入力試行回数がより少ない状態で不正チャージアクセスとみなされるように変更する条件変更手段
を有するプリペイドカードによる通信量チャージ制御装置。
【請求項７】
請求項６記載のプリペイドカードによる通信量チャージ制御装置において、
前記条件変更手段は、不正とみなされるチャージアクセスが行われた回数に基づいて、チャージ規制を行い、チャージ規制がなされた回数に基づいて、不正とみなされるチャージアクセスの回数がより少ない状態でチャージ規制がなされるように変更するようにしたプリペイドカードによる通信量チャージ制御装置。
【請求項８】
請求項７記載のプリペイドカードによる通信量チャージ制御装置において、
不正とみなされるチャージアクセスが行われた累積回数およびチャージ規制がなされた回数に基づいて定められるランクに応じた内容のガイダンスを送信するガイダンス変更手段
を有するプリペイドカードによる通信量チャージ制御装置。
【請求項９】
請求項６ないし８のいずれか１項に記載のプリペイドカードによる通信量チャージ制御装置において、
前記累積回数に基づいて、当該移動機の移動通信システムへの接続を切断する手段
を有するプリペイドカードによる通信量チャージ制御装置。
【請求項１０】
請求項６ないし９のいずれか１項に記載のプリペイドカードによる通信量チャージ制御装置において、
上記所定の処理は、前記累積回数に基づいて、当該移動機からのプリペイドカードの料金に応じた通信量を管理装置に累積させるための要求を規制する手段
を有するプリペイドカードによる通信量チャージ制御装置。
【発明の詳細な説明】
【０００１】
【発明の属する技術分野】
本発明は、移動通信システムにおけるプリペイドカードによる通信量チャージ方法及び装置に係り、詳しくは、移動通信システムにおいて移動機からプリペイドカードの番号を通知することによりそのプリペイドカードの料金に応じた通話度数などの通信量を当該移動機が使用可能な通信量として管理装置に累積させるようにした通信量チャージ方法及び装置に関する。
【０００２】
【従来の技術】
従来、ＰＤＣ（Personal Digital Cellular）方式の移動通信システムでは、利用者が購入したプリペイドカードの料金に応じた通話度数分だけ携帯電話機（移動機）の利用を可能にするサービスが行なわれている。このようなサービスでは、携帯電話機から当該プリペイドカードの番号が通知されると、その番号で管理されるプリペイドカードの料金に対応した通話度数が当該携帯電話機の使用可能な通話度数として管理装置に累積（チャージ）される。そして、この管理装置に累積された通話度数がゼロでない限り当該携帯電話機からの通話が可能となり、通話が終了する毎にその通話に対応する度数が上記管理装置に累積された通話度数から減算される。
【０００３】
上述したように携帯電話機からプリペイドカードの番号を通知する際に、利用者が例えばその番号の携帯電話機への入力ミスにより、正規の番号が通知されない場合がある。この場合、正規な番号ではないとして、当該携帯電話機に、正しい番号の入力を促すガイダンスが送信される。そして、このガイダンスを聞いた利用者が、再度、携帯電話機に購入したプリペイドカードを確認して正しい番号を入力し、その番号が通知されると、上述したようにそのプリペイドカードの料金に対応した通話度数が当該携帯電話機の使用可能な通話度数として管理装置に累積されるようになる。
【０００４】
しかし、プリペイドカードを実際に購入しない不正な利用者が、例えば、使用済みのプリペイドカードの番号から類推される種々の番号の通知を何度も試みることが考えられる。このようなことを考慮して、例えば、従来のシステムでは、連続して所定回数誤った番号の通知がなされた場合、チャージエラーとしてその携帯電話機との接続を強制的に切断するようにしている。また、このようなチャージエラーが所定期間中に所定回数発生した携帯電話機に対しては、以後、所定期間その携帯電話機からの通話度数の累積に係るアクセスを受付けないようにしている（以下、この動作を必要に応じてチャージ規制という）。
【０００５】
上記のような強制切断や、チャージ規制により、不正な利用者による携帯電話機からの通話度数の累積に係るアクセスを防止することができるようになる。
【０００６】
【発明が解決しようとする課題】
従来のシステムでは、チャージ規制がなされるための条件が、所定期間中に所定回数のチャージエラーがあったという一定の条件であり、更に、チャージエラーとなる条件も所定回数連続して誤った番号が入力されるという一定の条件である。このため、その一定の条件を不正な利用者に知られてしまうと、そのチャージ規制がなされる条件を満たす直前まで不正なアクセスを繰返し試みることが可能となる。このようにして通話度数の累積に係る携帯電話機からの不正なアクセスが増大すると、その不正なアクセスによって通話度数の累積に係る処理負担が増大し、正規に携帯電話機から通話度数の累積に係るアクセスに対する処理が影響を受ける場合がある。
【０００７】
そこで、本発明の課題は、通話度数などの通信量の累積に係る不正なアクセスをできるだけし難くすることのできるようにした移動通信システムにおけるプリペイドカードによる通信量チャージ方法及び装置を提供することである。
【０００８】
【課題を解決するための手段】
上記課題を解決するため、本発明によれば、移動通信システムに接続された移動機からプリペイドカードの番号を通知することによりそのプリペイドカードの料金に応じた通信量を当該移動機が使用可能な通信量として管理装置に累積させ、有効でないプリペイドカードの番号の通知の態様が所定の条件を満足するときに、上記通信量の累積のための処理に代えて所定の処理を行うようにしたプリペイドカードによる通信量チャージ制御方法において、移動機からなされた上記有効でないプリペイドカードの番号の通知の態様が上記所定の条件を満足した回数に基づいて当該移動機に対する上記所定の条件を変更するように構成される。
【０００９】
このようなプリペイドカードによる通信量チャージ制御方法では、移動通信システムに接続された移動機からなされる有効でないプリペイドカードの番号の通知の態様が所定の条件を満足すると、プリペイドカードの料金に応じた通信量を管理装置に累積されることはなく、所定の処理が行われる。そして、このような移動機からなされた有効でないプリペイドカードの番号の通知の態様が所定の条件を満たした回数に基づいてその所定の条件が変更される。従って、有効でなプリペイドカードの番号の通知の態様が所定の条件を満足した回数が大きいほど、即ち、不正であると見なせる要求の回数が大きいほど有効でないプリペイドカードの番号の通知の態様がより容易に所定の条件を満足するように当該所定の条件を変更することができるようになる。
【００１０】
上記通信量は、移動機が移動通信システムを介して行なえる通信の量を表すものであれば特に限定されず、通話度数、通話時間、パケット数などの情報量のいずれであっても、それらの組み合わせであってもよい。
【００１１】
また、上記有効でないプリペイドカードの番号の通知の態様は、その有効でないプリペイドカードの番号の通知回数に依存したその通知のされ方を表し、累積回数、頻度（所定期間内の回数）やそれらの組み合わせ等にて表される。
【００１２】
上記所定の処理は、不正と見なされる行為に対する処理であれば特に限定されず、例えば、当該移動機の移動通信システムへの接続を切断するための処理を含むようにしても、また、当該移動機からのプリペイドカードの料金に応じた通信量を管理装置に累積させるための要求を規制するための処理を含むようにすることもできる。
【００１３】
また、上記課題を解決するため、本発明によれば、移動通信システムに接続された移動機からプリペイドカードの番号を通知することによりそのプリペイドカードの料金に応じた通信量を当該移動機が使用可能な通信量とし管理装置に累積させ、有効でないプリペイドカードの番号の通知の態様が所定の条件を満足するときに、当該移動機に対してガイダンスを提供すると共に当該移動機の移動通信システムへの接続を切断するようにしたプリペイドカードによる通信量チャージ制御方法において、移動機からなされた上記有効でないプリペイドカードの番号の通知の態様が上記所定の条件を満足した回数に基づいて当該移動機に対して提供すべきガイダンスの内容を変更するように構成される。
【００１４】
このようなプリペイドカードによる通信量チャージ制御方法では、移動機に提供すべきガイダンスの内容が、当該移動機からなされた有効でないプリペイドカードの番号の通知の態様が所定の条件を満足した回数に基づいて変更される。従って、有効でないプリペイドカードの番号の通知の態様が所定の条件を満足した回数がより大きいほど、即ち、不正であると見なせる要求の回数が大きいほど、有効となるプリペイドカードの番号の入力をより直接的に促すようなガイダンスを移動機に提供することができるようになる。
【００１５】
上述した所定の条件は、移動機の移動通信システムへの１回の接続において有効でないプリペイドカードの番号の通知回数の許容限度に対応した第一の基準回数及び有効でないプリペイドカードの番号の通知回数が上記第一の基準回数に達するような移動機の移動通信システムへの接続回数の所定期間における許容限度に対応した第二の基準回数の少なくともいずれか一方に基づいて定められるようにすることができる。
【００１６】
更に、上記課題を解決するため、本発明によれば、移動通信システムに接続された移動機からプリペイドカードの番号を通知することによりそのプリペイドカードの料金に応じた通信量を当該移動機が使用可能な通信量として管理装置に累積させ、有効でないプリペイドカードの番号の通知の態様が所定の条件を満足するときに、上記通信量の累積のための処理に代えて所定の処理を行うようにしたプリペイドカードによる通信量チャージ制御装置において、移動機からなされた上記有効でないプリペイドカードの通知の態様が上記所定の条件を満足した回数に基づいて当該移動機に対する上記所定の条件を変更する条件変更手段を有するように構成される。
【００１７】
また、更に、上記課題を解決するため、本発明によれば、移動通信システムに接続された移動機からプリペイドカードの番号を通知することによりそのプリペイドカードの料金に応じた通信量を当該移動機が使用可能な通信量とし管理装置に累積させ、有効でないプリペイドカードの番号の通知の態様が所定の条件を満足するときに、当該移動機に対してガイダンスを提供すると共に当該移動機の移動通信システムへの接続を切断するようにしたプリペイドカードによる通信量チャージ制御装置において、移動機からなされた上記有効でないプリペイドカードの番号の通知の態様が上記所定の条件を満足した回数に基づいて当該移動機に対して提供すべきガイダンスの内容を変更するガイダンス変更手段を有するように構成される。
【００１８】
【発明の実施の形態】
以下、本発明の実施の形態を図面に基づいて説明する。
【００１９】
本発明の実施の一形態に係るプリペイドカードによる通信量チャージ制御方法が適用される移動通信システムは、例えば、図１に示すように構成される。
【００２０】
図１において、携帯電話機１０（移動機）と無線通信を行なう基地局２１は加入者交換機（ＭＬＳ）２２に接続され、この携帯電話機１０は基地局２１及び加入者交換機２２、更に、公衆網（図示略）を介して他の通信端末（図示略）と通信できるようになっている。移動通信網内にはこの加入者交換機２２と共にサービス制御装置（ＭＳＣＰ）２３、移動機サービスオーダ管理装置２４及びカードサービス制御装置（ＭＣＳＣＰ）２５が相互に通信可能なように設けられている。
【００２１】
サービス制御装置２３は、各利用者によって契約された通信サービスを管理する。プリペイドカード利用による通信サービスについては、図２に示すようなサービス管理テーブルを用いて管理される。このサービス管理テーブルには、プリペイドカード利用による通話サービスの利用契約のなされた各携帯電話機を特定する電話番号などの移動機番号（ＭＳＮ）に対応するようにその携帯電話機の種類を表す移動機種別、現時点で許容されている通話度数を表す残度数及びその残度数の有効期限が記述されている。
【００２２】
移動機サービスオーダ管理装置２４は、携帯電話機に対する通信サービスの利用者からの申込みを管理すると共に、その申し込まれた各携帯電話機に対する通信サービスの利用状況等を管理する。
【００２３】
カードサービス制御装置２５は、発行されたプリペイドカードの管理、各プリペイドカードを用いた通話度数の累積（チャージ）に係るアクセス（以下、必要に応じてチャージアクセスという）の履歴の管理、不正とみなされるチャージアクセスを行なったと見なされる携帯電話機についての当該不正アクセスの状況及びチャージ規制がなされたか否かの管理を行なう。上記プリペイドカードの管理は、図３（ａ）に示すようなカード管理テーブルを用いてなされる。このカード管理テーブルは、発行されたプリペイドカードを特定するためのプリペイドカード番号に対応するようにその度数、有効期限および使用状況（未使用、使用済み）が記述される。また、上記チャージアクセスの履歴の管理は、図３（ｂ）に示すようなチャージアクセス履歴管理テーブルを用いてなされる。このチャージアクセス履歴管理テーブルには、チャージアクセスがなされた日時、そのチャージアクセスを行なった携帯電話機を特定する移動機番号（ＭＳＮ）、チャージアクセスに使用されたプリペイドカード番号及び、そのチャージアクセスが許容されたか拒絶されたかを表す情報（ＯＫ／ＮＧ）が記述される。
【００２４】
更に、上記不正アクセスの状況及びチャージ規制がなされたか否かの管理は、図３（ｃ）に示すような不正アクセス管理テーブルを用いてなされる。この不正アクセス管理テーブルには、その不正アクセスを行なったと見なされる携帯電話機を特定する移動機番号（ＭＳＮ）、一日にチャージエラーが発生した回数（チャージＮＧ回数／日）、チャージ規制がなされているか否かの情報、チャージエラーの累積発生回数（チャージＮＧ回数累積）、チャージ規制の累積回数（チャージ規制回数累積）、後述するような基準回数α、及び基準回数βが記述される。
【００２５】
上述したような移動通信システムにおいて、利用者からプリペイドカードを用いた通信サービスについての申込みがあると、その通信サービスに使用される携帯電話機１０の移動機番号（ＭＳＮ）等が移動機サービスオーダ管理装置２４から入力される。この情報は、移動機サービスオーダ管理装置２４からサービス制御装置２３に転送される。サービス制御装置２３は、この情報に基づいて、上記サービス管理テーブル（図２参照）に移動機番号（ＭＳＮ）と移動機種別を登録すると共に、残度数の初期値（例えば、０）及び有効期限の初期値（例えば、０）を登録する。これにより、上記利用者は、プリペイドカードを用いた通信サービスを上記のように登録された携帯電話機１０を用いて受けることができるようになる。
【００２６】
次に、通話度数を累積（チャージ）するための処理について説明する。
【００２７】
利用者は、携帯電話機１０から特番を入力して発信操作を行なう。この特番が基地局２１、加入者交換局２２を介してサービス制御装置２３に転送される（図１における▲１▼）。サービス制御装置２３は、その特番を受信すると、その発信番号（移動機番号）で特定される携帯電話機１０がサービス管理テーブル（図２参照）に登録されているか否かを判定する。もし、携帯電話機１０がこのサービス管理テーブルに登録されいなければ、プリペイドカードを用いた通信サービスを受けられる携帯電話機ではないとして、サービス制御装置２３は、加入者交換機２２に対して切断を指示し、切断信号が加入者交換機２２から基地局２１を介して当該携帯電話機１０に送信される（図１における▲２▼）。そして、携帯電話機１０からの発信に基づいた通信が切断される。
【００２８】
一方、上記携帯電話機１０がサービス管理テーブルに登録されている場合、この携帯電話機１０はプリペイドカードを用いた通信サービスを受けられる携帯電話であるとして、サービス制御装置２３は、サービス管理テーブル（図２参照）から当該携帯電話機１０に対応した残度数と有効期限を検索し、当該携帯電話機１０を特定する移動機番号（ＭＳＮ）と共にその残度数と有効期限に関する情報をカードサービス制御装置２５に転送する（図１における▲３▼）。
【００２９】
このようにサービス制御装置２３から残度数及び有効期限の通知を受けたカードサービス制御装置２５は、図４乃至図６に示す手順に従って処理を行う。
【００３０】
図４において、カードサービス制御装置２５は、上記のようにサービス制御装置２３に接続され（Ｓ１）、携帯電話機１０の残度数及び有効期限の情報を取得すると（Ｓ２）、不正アクセス管理テーブル（図３（ｃ）参照）を参照して、その携帯電話機１０がチャージ規制がなされているか否かを判定する（Ｓ３）。チャージ規制がなされていない場合（Ｓ３でＮＯ）、カードサービス制御装置２５は、上述したように特番の発信により移動通信システムに接続された携帯電話機１０に対してプリペイドカード番号の入力を促すためのガイダンスを出力するように加入者交換機２２に指示をする（Ｓ４）。その後、カードサービス制御装置２５は、携帯電話機１０からのプリペイドカード番号の待ち状態となる（Ｓ５）。
【００３１】
加入者交換機２２から基地局２１を介してプリペイドカード番号の入力を促すガイダンスが携帯電話機１０に転送される。利用者がそのガイダンスを聞いて自分が購入したプリペイドカードに記載されたプリペイドカード番号の入力操作を行なうと携帯電話機１０からそのプリペイドカード番号が送信される。そして、そのプリペイドカード番号が基地局２１、加入者交換機２２を介してカードサービス制御装置２５に転送される（図１における▲４▼）。
【００３２】
カードサービス制御装置２５は、このプリペイドカード番号を受信すると（Ｓ５でＹＥＳ）、カード管理テーブル（図３（ａ）を参照）を参照して、プリペイドカード番号が登録されているか否か、登録されていた場合、そのプリペイドカードが未使用であるか否かをチェックする（Ｓ６）。そのプリペイドカード番号がカード管理テーブルに登録されており、かつ、そのプリペイドカードが未使用であれば、通信度数の累積が可能であるとして（Ｓ７でＮＯ）、カード管理テーブルに登録されている当該プリペイドカード番号に対応した度数と有効期限がそれぞれ上述したようにサービス制御装置２３から通知された残度数と有効期限に加算（累積）される（Ｓ８）。そして、チャージアクセス履歴管理テーブル（図３（ｂ）参照）に、今回のチャージアクセスに関するの履歴情報（日時、移動機番号、プリペイドカード番号、チャージＯＫ）が登録される（Ｓ９）。
【００３３】
なお、その後、カード管理テーブル（図３（ａ）参照）における当該プリペイドカード番号に対応した使用状態の項が未使用から使用済みに変更される。
【００３４】
カードサービス制御装置２５は、その加算（累積）により得られた新たな度数と有効期限を移動機サービスオーダ管理装置２４に通知する（Ｓ１０、図１における▲６▼）。そして、移動機サービスオーダ管理装置２４から更にこの新たな度数及び有効期限がサービス制御装置２３に通知される（図１における▲７▼）。この新たな度数及び有効期限を受信したサービス制御装置２３は、サービス管理テーブル（図２参照）の当該移動機番号に対応した残度数及び有効期限を受信した新たな度数および有効期限に更新する。
【００３５】
上記のように新たな度数及び有効期限をサービス制御装置２３に通知したカードサービス制御装置２５は、度数チャージ完了のガイダンスの出力を加入者交換機２２に指示した後に切断の指示を行なう（Ｓ１１、Ｓ１２）。そして、度数チャージ完了のガイダンスが加入者交換機２２から基地局２１を介して携帯電話機１０に送信され、その後、携帯電話機１０との通信路が切断される。
【００３６】
このように度数チャージ完了のガイダンスを携帯電話機１０から聞いた利用者は、プリペイドカードの料金分の通話度数が累積されたことを知ることができる。以後、この携帯電話機１０からの発信に基づいた通話がなされる毎に、加入者交換機２２からの指示に基づいてサービス制御装置２３はサービス管理テーブル（図２参照）の当該携帯電話機１０（移動機番号にて特定される）に対応した残度数から通話度数の減算を行なう。
【００３７】
上述したカードサービス制御装置２５での処理の過程で、プリペイドカード番号をチェックした結果（Ｓ６）、そのプリペイドカード番号が未登録または使用済みプリペイドカードを特定するものであると（Ｓ７でＹＥＳ）、カードサービス制御装置２５は、図５に示す手順に従って処理を続行する。
【００３８】
図５において、所定のカウンタＮが＋１インクリメントされ（Ｓ１３）、そのカウンタＮ値が基準回数αに達しているか否かが判定される（Ｓ１４）。このカウンタＮ値は1回の接続におけるプリペイド番号の繰返し通知回数に対応し、その値が基準回数αに達していなければ、図４に示す処理に戻って、カードサービス制御装置２５は、プリペイドカード番号の再入力のためのガイダンスを出力するように加入者交換機２２に指示する（Ｓ４）。これにより、前述した手順と同様に携帯電話機１０に対してプリペイドカード番号の再入力指示のガイダンスが携帯電話機１０から出力される。このガイダンスを聞いた利用者が再度プリペイドカード番号の入力操作を行ない、そのプリペイドカード番号がカードサービス制御装置２５に転送されると、カードサービス制御装置２５は再度プリペイドカード番号のチェックを行ない（Ｓ６）、そのプリペイドカード番号が未登録でなく、未使用のプリペイドカードのものであれば（Ｓ７でＮＯ）、前述したのと同様の処理（Ｓ８〜Ｓ１２）に従って、当該携帯電話機１０に対する通話度数等の累積が行なわれる。
【００３９】
一方、この再入力されたプリペイドカード番号がまた未登録であり、または使用済みプリペイドカードのものであると、上述した処理（Ｓ１３、Ｓ１４）によりカウンタＮ値がインクリメントされ、そのカウンタＮ値が基準回数αに達したか否かが判定される。
【００４０】
ここで、不正にプリペイドカード番号の通知がなされている場合を想定する。この場合、カードサービス制御装置２５では前述したような処理（Ｓ４〜Ｓ７、Ｓ１３〜Ｓ１４）が行なわれ、その過程で携帯電話機１０からプリペイドカード番号の通知が繰返し行なわれる。そして、その繰返し回数に対応したカウンタＮ値が基準回数αに達すると（Ｓ１４でＹＥＳ）、今回のチャージアクセス（不正アクセス）に関するの履歴情報（日時、移動機番号、プリペイドカード番号、チャージＮＧ）がチャージアクセス履歴管理テーブル（図３（ｂ）参照）に登録される（Ｓ１５）。
【００４１】
更に、そのチャージアクセスを行なう携帯電話機１０の移動機番号（ＭＳＮ）が不正アクセス管理テーブル（図３（ｃ）参照）に登録されているか否かが判定される（Ｓ１６）。その移動機番号（ＭＳＮ）が登録されていなければ（Ｓ１６でＮＯ）、今回の不正と見なされるチャージアクセスを行なった携帯電話機１０の移動機番号が不正アクセス管理テーブルに登録され（Ｓ１７）、対応するチャージＮＧ回数／日、チャージ規制状態、チャージＮＧ回数累積、チャージ規制回数累積、基準回数α、基準回数βの各項目が初期値に設定される（Ｓ１８）。
【００４２】
このように上記不正とみなされるチャージアクセスを行なった携帯電話機１０の移動機番号の不正アクセス管理テーブルへの登録等（Ｓ１７、Ｓ１８）が終了した場合、または、当該移動機番号が既に不正アクセス管理テーブルに登録されている場合（Ｓ１６でＹＥＳ）、不正アクセス管理テーブルにおける当該移動機番号に対応したチャージＮＧ回数／日とチャージＮＧ回数の各項目の値が＋１インクリメントされる（Ｓ１９）。即ち、不正と見なされるチャージアクセスの１日の回数とその累積回数が１回ずつ増加される。そして、上記カウンタＮが０にリセットされる（Ｓ２０）。
【００４３】
その後、カードサービス制御装置２５は、図６に示す手順に従って処理を続行する。
【００４４】
図６において、そのチャージＮＧ回数／日の値が不正アクセス管理テーブルに登録された基準回数βより所定値βｏ（例えば、１）だけ小さい回数（β−βｏ）に達したか否かが判定される（Ｓ２１）。このチャージＮＧ回数／日の値が回数（β−βｏ）より小さければ（Ｓ２１でＮＯ）、今回α回プリペイドカード番号の入力操作が繰り返されることにより（Ｎ≧α：Ｓ１４参照）不正と見なされたチャージアクセスの応答として、カードサービス制御装置２５は、携帯電話機１０の移動通信システムへの接続を強制的に切断する旨のガイダンス（２）の出力指示及びその強制切断指示を加入者交換機２２に与える（Ｓ２２、Ｓ２８）。その結果、携帯電話機１０から強制的な切断のガイダンス（２）が出力され、携帯電話機１０の移動通信システムへの接続が切断される（図１における▲５▼）。
【００４５】
一方、不正と見なされるチャージアクセスが発生した１日の回数を表すチャージＮＧ回数／日の値が回数（β−βｏ）に達していると（Ｓ２１でＹＥＳ）、更に、そのチャージＮＧ回数／日の値が上記基準回数βに達しているか否かが判定される（Ｓ２３）。このチャージＮＧ回数／日の値が基準回数βにも達していれば（Ｓ２３でＹＥＳ）、不正アクセス管理テーブル（図３（ｃ）参照）における当該携帯電話機１０を特定する移動機番号に対応したチャージ規制状態の項目にチャージ規制がなされた状態を示す値が登録される（Ｓ２４）。そして、チャージ規制の累積回数を表すチャージ規制回数累積の値が＋１だけインクリメントされる（Ｓ２５）。
【００４６】
その後、上記インクリメントされたチャージＮＧ回数累積の値とチャージ規制回数累積の値に基づいて上記基準回数αとβの値が更新される（Ｓ２６）。
【００４７】
上記チャージＮＧ回数累積の値は、不正とみなされるチャージアクセスが行なわれた累積回数であり、また、チャージ規制回数累積の値は、チャージ規制がなされた回数である。従って、チャージＮＧ回数累積の値とチャージ規制回数累積の値が大きいほど、携帯電話機１０から不正と見なされるチャージアクセスが多くなされていることを表す。このことから、上記チャージＮＧ回数累積の値やチャージ規制回数累積の値がより大きい携帯電話機１０から今後なされるチャージアクセスをより強く抑制するために、上記基準回数α及びβの値がより小さい値に変更される。このように基準回数αがより小さい値にされることにより、プリペイドカード番号の入力試行回数がより少ない状態で不正チャージアクセスであると見なすことが可能となり（Ｓ１４参照）、また、基準回数βがより小さい値にされることにより、１日に不正であると見なされるチャージアクセスの回数がより少ない状態でチャージ規制がなされるようになる（Ｓ２３参照）。その結果、不正であると見なされるチャージアクセスが減少し、移動通信システム内での処理、特に、カードサービス制御装置２５での処理負荷の低減を図ることができるようになる。
【００４８】
なお、上記チャージＮＧ回数累積の値とチャージ規制回数累積の値に基づいた上記基準回数α及びβの値の決定手法は、当該移動通信システムの通信事業者により任意に定められる。この決定手法は、固定的に定められていてもよいし、また、時間的にランダムに変更されるものであってもよい。また、基準回数α及びβ双方の値を同時に変更しなくても、いずれか一方を変更するようにしてもよい。
【００４９】
上記のようにして不正管理テーブルにおいて当該チャージ規制のされた携帯電話機に対する基準回数α及びβの値が更新されると、カードサービス制御装置２５は、その基準回数α及びβの値に基づいて定められたランクに対応する強制切断ガイダンス（３）の出力指示及び携帯電話機１０の移動通信システムへの接続の切断指示を加入者交換機２２に与える（Ｓ２７、Ｓ２８）。これらの指示により加入者交換機２２は、そのランクに応じた内容のガイダンス（３）を基地局２１を介して携帯電話機１０に送信する（図１における▲５▼）。
【００５０】
上記基準回数α及びβの値に基づいて定められるランクは、例えば、それらの値がより小さいほど高いランクとなるように定められる。即ち、上述したように不正と見なされるチャージアクセスをより多く行なった携帯電話機１０に対してより高いランクが定められる。そして、例えば、より高いランクに対応した強制切断メッセージ（３）は正規のプリペイドカード番号の入力をより直接的に促すような内容のものに決められる。これにより、不正とみなされるチャージアクセスの回数が比較的多い携帯電話機１０の利用者に対して正規のプリペイドカード番号の入力をより強く促すことができるようになる。
【００５１】
また、上述したチャージＮＧ回数／日の値が基準回数βに達したか否かの判定において（Ｓ２３）、その値が基準回数βに達していないと判定された場合、即ち、チャージＮＧ回数／日の値が回数（β−βｏ）以上であるが基準回数βに達していない場合、チャージ規制の処理（Ｓ２４）及びチャージ規制回数累積をインクリメントする処理（Ｓ２５）は行われず、上記各基準回数α及びβの変更（Ｓ２６）、強制ガイダンスの出力指示（Ｓ２７）及び強制切断（Ｓ２８）の各処理が行われる。
【００５２】
基準回数βは、上述したように不正と見なされるチャージアクセスの頻繁さ（チャージＮＧ回数／日）がチャージ規制をしなければならないほどのものであるか否かを判定するための基準である。この基準回数βよりβｏだけ小さい回数（β−βｏ）は、その不正とみなされるチャージアクセスの頻繁さがそのようなチャージ規制すべき状態に近づいていることを判定するための基準となる。従って、このような不正とみなされるチャージアクセスの頻繁さ（チャージＮＧ回数／日）がその基準となる（β−βｏ）に達した場合、各基準値α及びβを上記のようより小さい値に変更することにより、以後の不正なチャージアクセスに対してより早くチャージ規制がなされる条件（Ｓ１４、Ｓ２３参照）が満足されるようになる。
【００５３】
所定値βｏの値を適当に設定することにより、連日不正とみなされるチャージアクセス（チャージＮＧ回数／日）を基準回数βぎりぎりまで行ってチャージ規制がなされることを避けるような行為を有効に防止することができようになる。
【００５４】
上述したように不正アクセス管理テーブルにおいてチャージ規制のなされた情報が設定された移動機番号にて特定される携帯電話機１０から通話度数の累積を行なうために特番による発信がなされた場合（図１における▲１▼）、カードサービス制御装置２５は、不正アクセス管理テーブル（図３（ｃ）参照）を参照して当該携帯電話機１０に対してチャージ規制がなされていると判定し（図４におけるＳ３でＹＥＳ）、所定の強制切断ガイダンス（１）の出力指示と当該携帯電話機１０の移動通信システムへの接続を強制的に切断する指示を加入者交換機２２に与える（Ｓ２９、Ｓ３０）。その結果、携帯電話機１０に対して強制切断ガイダンス（１）が送信され、当該携帯電話機１０の移動通信システムへの接続が強制的に切断される。
【００５５】
上述したシステムでは、サービス制御装置２３に登録された残度数と有効期限がある限り利用可能な携帯電話機１０を用いた通信サービスを実現するものである。更に、通常の携帯電話機１０の通話度数をプリペイドカードの料金に対応した通話度数にて清算することのできるサービスが考えられる。このようなサービスにおいても、上述したのと同様の手順にて不正なチャージアクセスを抑制することができるようになる。
【００５６】
移動通信システムでは、例えば、図７に示すように、加入者交換機２２、サービス制御装置２３及びカードサービス制御装置２５が設けられた移動通信網内に料金システム２８が設けられている。なお、この例でも、図１に示す移動機サービスオーダ管理装置２４が設けられるが、図７では省略されている（また、図１においてこの料金システム２８が省略されている）。
【００５７】
このような移動通信システムにおいて、サービス制御装置２３は、単に当該移動通信システムにてプリペイドカードによる通話度数清算のサービスを受ける携帯電話機１０の移動機番号と端末種別を管理する。
【００５８】
このような移動通信システムにいおて、携帯電話機１０からプリペイドカードによる通話料清算の要求を表す特番での発信がなされると（図７における▲１▼）、サービス制御装置２３にて当該携帯電話機１０が当該サービスを受けることのできる携帯電話であるか否かが判定される。当該携帯電話機１０がそのような携帯電話ではないと判定されると、当該携帯電話機１０の移動通信システムへの接続が強制切断される（図７における▲２▼）。
【００５９】
一方、当該携帯電話機１０がそのような携帯電話機であると判定されると、サービス制御装置２３がカードサービス制御装置２５に接続され、上記要求のあった携帯電話機１０の移動機番号がカードサービス制御装置２５に通知される（図７における▲３▼）。カードサービス制御装置２５では、前述した図４乃至図６に示す手順と略同様の手順に従って処理がなされる。その結果、プリペイドカード番号の入力が促された携帯電話機１０からプリペイドカード番号の入力がなされると（図７における▲４▼）、そのプリペイドカード番号がチェックされ、そのプリペイドカード番号が未使用のプリペイドカードのものとして登録されていれば、そのプリペイドカードの通話度数が料金システムに通知される（図７における▲６▼）。そして、料金システム２８において、当該携帯電話機１０の使用度数からその通知された通話度数が減算される。即ち、携帯電話機１０の通話度数がプリペイドカードの料金に対応した通話度数にて清算される。以上の処理は図４に示すＳ１からＳ１２の処理に対応する。
【００６０】
一方、携帯電話機１０から入力されたプリペイドカード番号が未登録または使用済みのプリペイドカードを表すものであれば、図５及び図６に示すような手順に従って不正とみなされるチャージアクセスに対する処理が実行される。その結果、上述した場合と同様に、不正とみなされるチャージアクセスをより強く抑制することが可能となる。
【００６１】
なお、上記各例においては、プリペイドカードにより通話度数の累積を行なうようにしたが、データ通信に用いられるパケット数の累積を行なうようにしてもよい。また、他の通信量（例えば、時間）の累積を行なうようにしてもよい。
【００６２】
上記各例において、カードサービス制御装置２５が通信量チャージ制御装置に対応し、サービス制御装置２３が管理装置に対応する。また、図６に示すＳ２６での処理が条件変更手段に対応し、図６に示すＳ２７での処理がガイダンス変更手段に対応する。
【００６３】
【発明の効果】
以上、説明したように、請求項１乃至１０記載の本願発明によれば、有効でないプリペイドカードの番号の通知の態様が所定の条件を満足した回数がより大きいほど、即ち、不正であると見なせる要求の回数が大きいほど、有効でないプリペイドカードの番号の通知の態様がより容易に所定の条件を満足するように当該所定の条件を変更でき、または、有効でないプリペイドカードの番号の通知の態様が所定の条件を満足した回数がより大きいほど、即ち、不正であると見なせる要求の回数が大きいほど、有効となるプリペイドカードの番号の入力をより直接的に促すようなガイダンスを移動機に提供することができるようになる。その結果、通話度数などの通信量の累積に係る不正なアクセスをできるだけし難くすることができるようになる。
【図面の簡単な説明】
【図１】本発明の実施の一形態に係るプリペイドカードによる通信量チャージ方法の適用される移動通信システムの構成例を示す図である。
【図２】サービス管理テーブルの一例を示す図である。
【図３】カード管理テーブル、チャージアクセス履歴管理テーブル及び不正アクセス管理テーブルの一例を示す図である。
【図４】カードサービス制御装置での処理手順の一例（その１）を示すフローチャートである。
【図５】カードサービス制御装置での処理手順の一例（その２）を示すフローチャートである。
【図６】カードサービス制御装置での処理手順の一例（その３）を示すフローチャートである。
【図７】本発明の実施の一形態に係るプリペイドカードによる通信量チャージ方法の適用される移動通信システムの他の構成例を示す図である。
【符号の説明】
１０  携帯電話機（移動機）
２１  基地局
２２  加入者交換機
２３  サービス制御装置
２４  移動機サービスオーダ管理装置
２５  カードサービス制御装置
２８  料金システム
【図１】
0003765980.tif 000002
【図２】
0003765980.tif 000003
【図３】
0003765980.tif 000004
【図４】
0003765980.tif 000005
【図５】
0003765980.tif 000006
【図６】
0003765980.tif 000007
【図７】
0003765980.tif 000008